(57)【要約】【課題】温風発生機の熱効率を向上させること。【解決手段】本発明では、燃焼室（３）で加熱した加熱空気を吸引装置（１３）で熱交換パイプ（１０）の内部に吸引するとともに、熱交換パイプ（１０）と対向させて配置した送風装置（１６）によって外気を熱交換パイプ（１０）で加熱した温風を送風ダクト（１７）から送出する温風発生機（１）において、燃焼室（３）に加熱空気を下方へ向けて流すための上流側ダクト（７）を連通し、上流側ダクト（７）に加熱空気を上方へ向けて流すための下流側ダクト（８）を上流側ダクト（７）の外周を囲繞させた状態で連通し、下流側ダクト（８）の外周に熱交換パイプ（１０）を設けることにした。【選択図】図１
2013217529.tif 000002
【特許請求の範囲】
【請求項１】
燃焼室で加熱した加熱空気を吸引装置で熱交換パイプの内部に吸引するとともに、熱交換パイプと対向させて配置した送風装置によって外気を熱交換パイプで加熱した温風を送風ダクトから送出する温風発生機において、
燃焼室に加熱空気を下方へ向けて流すための上流側ダクトを連通し、上流側ダクトに加熱空気を上方へ向けて流すための下流側ダクトを上流側ダクトの外周を囲繞させた状態で連通し、下流側ダクトの外周に熱交換パイプを設けたことを特徴とする温風発生機。
【請求項２】
前記下流側ダクトの外周に複数の熱交換パイプを下流側ダクトの外周外方へ向けて放射状に設けたことを特徴とする請求項１に記載の温風発生機。
【請求項３】
前記下流側ダクトの断面積を上流側ダクトの断面積よりも小さくしたことを特徴とする請求項１又は請求項２に記載の温風発生機。
【発明の詳細な説明】
【技術分野】
【０００１】
本発明は、燃焼室で加熱した加熱空気を吸引装置で熱交換パイプの内部に吸引するとともに、熱交換パイプと対向させて配置した送風装置によって外気を熱交換パイプで加熱した温風を送風ダクトから送出する温風発生機に関するものである。
【背景技術】
【０００２】
従来より、外気（室内又は室外の空気）を加熱して温風を発生させる装置として、温風発生機が広く利用されている。
【０００３】
この温風発生機は、燃焼室で加熱した加熱空気を吸引装置で熱交換パイプの内部に吸引するとともに、熱交換パイプと対向させて配置した送風装置によって外気を熱交換パイプで加熱した温風を送風ダクトから送出する。
【０００４】
従来の温風発生機として、特許文献１に開示するように、本発明者は、燃焼室の下部にダクトを連通し、ダクトに熱交換パイプを接続した構成の温風発生機を開発した。
【先行技術文献】
【特許文献】
【０００５】
【特許文献１】実用新案登録第３１４６５９６号公報
【発明の概要】
【発明が解決しようとする課題】
【０００６】
ところが、上記従来の温風発生機では、燃焼室に連通するダクトに熱交換パイプを接続した簡素な構成であったために、満足のいく熱効率が得られず、さらなる改良が必要であった。
【０００７】
そこで、上記従来の温風発生機に対して本発明者が鋭意改良を加え、熱効率を向上させた本発明に係る温風発生機を開発した。
【課題を解決するための手段】
【０００８】
すなわち、請求項１に係る本発明では、燃焼室で加熱した加熱空気を吸引装置で熱交換パイプの内部に吸引するとともに、熱交換パイプと対向させて配置した送風装置によって外気を熱交換パイプで加熱した温風を送風ダクトから送出する温風発生機において、燃焼室に加熱空気を下方へ向けて流すための上流側ダクトを連通し、上流側ダクトに加熱空気を上方へ向けて流すための下流側ダクトを上流側ダクトの外周を囲繞させた状態で連通し、下流側ダクトの外周に熱交換パイプを設けることにした。
【０００９】
また、請求項２に係る本発明では、前記請求項１に係る本発明において、前記下流側ダクトの外周に複数の熱交換パイプを下流側ダクトの外周外方へ向けて放射状に設けることにした。
【００１０】
また、請求項３に係る本発明では、前記請求項１又は請求項２に係る本発明において、前記下流側ダクトの断面積を上流側ダクトの断面積よりも小さくすることにした。
【発明の効果】
【００１１】
そして、本発明では、燃焼室で加熱した加熱空気を吸引装置で熱交換パイプの内部に吸引するとともに、熱交換パイプと対向させて配置した送風装置によって外気を熱交換パイプで加熱した温風を送風ダクトから送出する温風発生機において、燃焼室に加熱空気を下方へ向けて流すための上流側ダクトを連通し、上流側ダクトに加熱空気を上方へ向けて流すための下流側ダクトを上流側ダクトの外周を囲繞させた状態で連通し、下流側ダクトの外周に熱交換パイプを設けることにしているために、加熱空気が下流側ダクトを流れる際に上流側ダクトの外周からの熱を有効に利用することができ、温風発生機の熱効率を向上させることができる。
【００１２】
特に、下流側ダクトの外周に複数の熱交換パイプを下流側ダクトの外周外方へ向けて放射状に設けた場合には、下流側ダクトの内部で加熱空気の流れの偏りを抑制し、下流側ダクトから熱交換パイプに加熱空気を円滑に流すことができるので、温風発生機の熱効率をより一層向上させることができる。
【００１３】
また、下流側ダクトの断面積を上流側ダクトの断面積よりも小さくした場合には、下流側ダクトの内部圧力が上昇し、これによっても、下流側ダクトから熱交換パイプに加熱空気を円滑に流すことができるので、温風発生機の熱効率をより一層向上させることができる。
【図面の簡単な説明】
【００１４】
【図１】本発明に係る温風発生機を示す正面断面図。
【図２】本発明に係る温風発生機を示す平面断面図。
【図３】本発明に係る温風発生機を示す中央部右側面断面図。
【図４】本発明に係る温風発生機を示す右側部右側面断面図。
【発明を実施するための形態】
【００１５】
以下に、本発明に係る温風発生機の具体的な構成について図面を参照しながら説明する。
【００１６】
図１〜図４に示すように、温風発生機１は、中空矩形箱型形状のケーシング２の内側中央上部に燃焼室３を形成している。
【００１７】
燃焼室３は、ケーシング２の中央上部に上下に伸延させた円筒状の吸引ダクト４を取付け、吸引ダクト４の上端を吸引開口５とするとともに、吸引ダクト４の底部に多孔板６を取付けている。
【００１８】
そして、燃焼室３は、多孔板６の上部においておが屑等の乾燥木材を燃焼し、その熱で吸引開口５から吸引した外部空気を加熱して、その加熱空気を多孔板６の下方へと送出する。
【００１９】
燃焼室３の多孔板６には、上流側ダクト７が接続されている。この上流側ダクト７は、吸引ダクト４と一体的に形成されており、上下に伸延させた円筒形状となっている。上流側ダクト７は、円筒形状とすることで、燃焼室３から加熱空気を層流状に円滑に流すことができ、燃焼室３での燃焼効率を向上させることができるとともに、上流側ダクト７の外周外方へ熱を熱伝導及び熱輻射によって効率よく伝達させることができる。
【００２０】
上流側ダクト７の周囲には、下流側ダクト８が設けられている。この下流側ダクト８は、中空矩形箱型形状で中央部に上流側ダクト７が配置されている。下流側ダクト８は、上流側ダクト７よりも断面積が小さくなるようにしている。また、下流側ダクト８は、下部において上流側ダクト７の下端と連通している。さらに、下流側ダクト８は、上流側ダクト７の下端の直下方に引出し状の灰収集器９を載置している。
【００２１】
下流側ダクト８の外周には、複数個（ここでは、２個）の熱交換パイプ10が下流側ダクト８を中心に所定角度（ここでは、１８０度）の間隔をあけて放射状に接続されている。各熱交換パイプ10は、１群をなす複数本（ここでは、２１本）の円管状の構成パイプ11を側面視で千鳥格子配列状に平行に配置している。この熱交換パイプ10は、各構成パイプ11の基端部を下流側ダクト８の外周に接続している。なお、ここでは、２個の熱交換パイプ10を放射状に配置しているが、これに限られず、３個以上の熱交換パイプ10を等角度間隔で放射状に配置してもよい。
【００２２】
各熱交換パイプ10には、排気ダクト12を接続している。この排気ダクト12は、中空矩形箱型形状となっており、熱交換パイプ10の構成パイプ11の先端部が接続されている。なお、円筒形状の上流側ダクト７と断面正方形状の下流側ダクト８の中心を一致させて配置して、下流側ダクト８の断面を内側が円形で外側が正方形とし、下流側ダクト８の断面幅が最も狭くなる部分を中心にして断面幅が広くなる部分へ向けて熱交換パイプ10を構成する一群の構成パイプ11を均等に配置している。
【００２３】
各排気ダクト12には、吸引装置13が接続されている。この吸引装置13は、各排気ダクト12の後方上部に排気パイプ14の始端部を接続し、排気パイプ14の終端部に吸引ファン15を接続している。
【００２４】
そして、温風発生機１は、吸引装置13を駆動することで、燃焼室３で外部空気を加熱することで生成した加熱空気を、燃焼室３から上流側ダクト７へ吸引し、上流側ダクト７の内部を下方へ向けて流し、その後、下流側ダクト８の内部を上方へ向けて流し、さらに、熱交換パイプ10の内部から排気ダクト12へと流し、排気ダクト12から外部に排出するようにしている。
【００２５】
また、温風発生機１は、ケーシング２の左右側上部に送風装置16を各熱交換パイプ10に対向させた状態で設けるとともに、ケーシング２の左右側下部に送風ダクト17を形成している。
【００２６】
そして、温風発生機１は、送風装置16を駆動することで、外気（室内又は室外の空気）をケーシング２の内部に吸引し、熱交換パイプ10で加熱して温風を生成し、その温風を送風ダクト17から外部に噴出するようにしている。
【００２７】
この温風発生機１は、ケーシング２の下流側ダクト８や熱交換パイプ10の近傍にウォータージャケット（水路）を配置することで、温風とともに温水をも生成することができ、温水発生機としても機能させることができる。
【００２８】
温風発生機１は、以上に説明したように構成しており、燃焼室３で加熱した加熱空気を吸引装置13で熱交換パイプ10の内部に吸引するとともに、熱交換パイプ10と対向させて配置した送風装置16によって外気を熱交換パイプ10で加熱した温風を送風ダクト17から送出する。
【００２９】
そして、上記温風発生機１は、燃焼室３に加熱空気を下方へ向けて流すための上流側ダクト７を連通し、上流側ダクト７に加熱空気を上方へ向けて流すための下流側ダクト８を上流側ダクト７の外周を囲繞させた状態で連通し、下流側ダクト８の外周に熱交換パイプ10を設けた構成としている。
【００３０】
そのため、上記構成の温風発生機１では、加熱空気が下流側ダクト８を流れる際に上流側ダクト７の外周からの熱を有効に利用することができ、温風発生機１の熱効率を向上させることができる。
【００３１】
また、上記温風発生機１は、下流側ダクト８の外周に複数の熱交換パイプ10を下流側ダクト８の外周外方へ向けて放射状に設けた構成としている。
【００３２】
そのため、上記構成の温風発生機１では、下流側ダクト８の内部で加熱空気の流れの偏りを抑制し、下流側ダクト８から熱交換パイプ10に加熱空気を円滑に流すことができるので、温風発生機１の熱効率をより一層向上させることができる。
【００３３】
さらに、上記温風発生機１は、下流側ダクト８の断面積を上流側ダクト７の断面積よりも小さくした構成としている。
【００３４】
そのため、上記構成の温風発生機１では、下流側ダクト８の内部圧力が上流側ダクト７よりも上昇し、これによっても、下流側ダクト８から熱交換パイプ10に加熱空気を円滑に流すことができるので、温風発生機１の熱効率をより一層向上させることができる。
【符号の説明】
【００３５】
１  温風発生機                    ２  ケーシング
３  燃焼室                        ４  吸引ダクト
５  吸引開口                      ６  多孔板
７  上流側ダクト                  ８  下流側ダクト
９  灰収集器                      10  熱交換パイプ
11  構成パイプ                    12  排気ダクト
13  吸引装置                      14  排気パイプ
15  吸引ファン                    16  送風装置
17  送風ダクト
【図１】
2013217529.tif 000003
【図２】
2013217529.tif 000004
【図３】
2013217529.tif 000005
【図４】
2013217529.tif 000006